(57)【特許請求の範囲】
【請求項１】
デジタルハイビジョン放送を配信する映像データ配信システムにおいて、
ハイビジョン放送番組のデータにデータ放送用のデータを多重化するデジタル放送多重化部と、前記デジタル放送多重化部で多重化されたデータをデジタルハイビジョン放送信号として配信する映像配信部と、を備える送信装置を有し、
前記デジタル放送多重化部は、前記ハイビジョン放送番組と同一内容とし前記ハイビジョン放送番組のデータに対して低ビットレートとされたデータを、前記データ放送用のデータとして、前記ハイビジョン放送番組の開始から終了までに複数回繰り返すように前記ハイビジョン放送番組のデータに多重化し、
前記映像配信部は、前記ハイビジョン放送番組のデータの配信中に前記データ放送用のデータが複数回繰り返される前記デジタルハイビジョン放送信号を配信することを特徴とする映像データ配信システム。
【請求項２】
デジタルハイビジョン放送を配信する映像データ配信システムにおいて、
ハイビジョン放送番組のデータにデータ放送用のデータを多重化するデジタル放送多重化部と、前記デジタル放送多重化部で多重化されたデータをデジタルハイビジョン放送信号として配信する映像配信部と、を備える送信装置を有し、
前記デジタル放送多重化部は、前記ハイビジョン放送番組に関連する他の過去の番組の開始から終了までを内容とし前記ハイビジョン放送番組のデータに対して低ビットレートとされたデータを、前記データ放送用のデータとして、前記ハイビジョン放送番組の開始から終了までに複数回繰り返すように前記ハイビジョン放送番組のデータに多重化し、
前記映像配信部は、前記ハイビジョン放送番組のデータの配信中に前記データ放送用のデータが複数回繰り返される前記デジタルハイビジョン放送信号を配信することを特徴とする映像データ配信システム。
【発明の詳細な説明】
【０００１】
【発明の属する技術分野】
本発明は、デジタルハイビジョン放送を配信する映像データ配信システムに関するものである。
【０００２】
【従来の技術】
デジタルハイビジョン放送（ＨＤＴＶ：High definition Television）においては、ハイビジョン放送のデータと多重化して配信可能なデータ放送部分がある。このデータ放送部分を用いて従来より様々なサービスが提供されている。
【０００３】
データ放送の利用方法としては、配信中のハイビジョン放送の内容とは全く独立した天気予報やニュース等の別情報を配信するもの、特開平１１−３４６３４６号公報に示されるように、ハイビジョン放送とは別内容の低解像度の複数チャンネルを同時に配信するもの、または特開平１１−３５５７３３号公報に示されるように、メインの映像に特殊効果を与えるようなデータを配信するものなどがある。
【０００４】
【発明が解決しようとする課題】
しかしながら、上記各従来技術では、ハイビジョン放送のデータ放送部分を配信映像の録画に関するサービスとして利用することは考えられていなかった。すなわち、従来のハイビジョン放送の番組の配信形態としては、通常の地上波放送と同様、ハイビジョン放送のデータ枠を使用して、初回放送分あるいは再放送分を配信することしか行われていなかった。このため、利用者側で録画予約の指定ミスを行った場合、その場での録画操作ミスを行った場合、さらには番組の途中から見始めたなどの場合に、視聴したかった番組を全て見ることができなかった。
【０００５】
また、従来技術では、番組の再放送分は、ハイビジョン放送のデータ枠でしか配信されていなかったので、再放送を見る機会が少ないという問題もある。
【０００６】
この発明は上記に鑑みてなされたもので、ハイビジョン放送のデータ放送部分を配信映像の録画に関するサービスとして利用することで、ハイビジョン放送の番組を何らかの理由により一部しか視聴できなかった場合でも、その番組全体を視聴できるようにするとともに、再放送番組を視聴できる機会を増加させるようにして、視聴者の利便性を向上させる映像データ配信システムを得ることを目的としている。
【０００７】
【課題を解決するための手段】
上記目的を達成するために、この発明にかかる映像データ配信システムは、デジタルハイビジョン放送を配信する映像データ配信システムにおいて、ハイビジョン放送番組のデータにデータ放送用のデータを多重化するデジタル放送多重化部と、前記デジタル放送多重化部で多重化されたデータをデジタルハイビジョン放送信号として配信する映像配信部と、を備える送信装置を有し、前記デジタル放送多重化部は、前記ハイビジョン放送番組と同一内容とし前記ハイビジョン放送番組のデータに対して低ビットレートとされたデータを、前記データ放送用のデータとして、前記ハイビジョン放送番組の開始から終了までに複数回繰り返すように前記ハイビジョン放送番組のデータに多重化し、前記映像配信部は、前記ハイビジョン放送番組のデータの配信中に前記データ放送用のデータが複数回繰り返される前記デジタルハイビジョン放送信号を配信することを特徴とする。
【０００８】
この発明によれば、ハイビジョン放送とデータ放送とを多重化して、ハイビジョン放送番組と同一内容であって低ビットレートのデータ放送用のデータが前記ハイビジョン放送番組用のデータ配信中に複数回繰り返し配信されるようにしている。
【０００９】
つぎの発明にかかる映像データ配信システムは、デジタルハイビジョン放送を配信する映像データ配信システムにおいて、ハイビジョン放送番組のデータにデータ放送用のデータを多重化するデジタル放送多重化部と、前記デジタル放送多重化部で多重化されたデータをデジタルハイビジョン放送信号として配信する映像配信部と、を備える送信装置を有し、前記デジタル放送多重化部は、前記ハイビジョン放送番組に関連する他の過去の番組の開始から終了までを内容とし前記ハイビジョン放送番組のデータに対して低ビットレートとされたデータを、前記データ放送用のデータとして、前記ハイビジョン放送番組の開始から終了までに複数回繰り返すように前記ハイビジョン放送番組のデータに多重化し、前記映像配信部は、前記ハイビジョン放送番組のデータの配信中に前記データ放送用のデータが複数回繰り返される前記デジタルハイビジョン放送信号を配信することを特徴とする。
【００１０】
この発明によれば、ハイビジョン放送とデータ放送とを多重化して、ハイビジョン放送番組に関連する過去の番組であって低ビットレートのデータ放送用のデータが前記ハイビジョン放送番組用のデータ配信中に複数回繰り返し配信されるようにしている。
【００１３】
【発明の実施の形態】
以下に添付図面を参照して、この発明にかかる映像データ配信システムの実施の形態を詳細に説明する。
【００１４】
図１は、この発明にかかる映像データ配信システムの構成を示す概念図である。このデジタル放送配信システム１０は、放送局２０、放送衛星３０、アンテナ４０、受信装置５０で構成される。
【００１５】
放送局２０は、ハイビジョン放送用データ（高画質映像データ）ａとデータ放送用データ（低画質映像データ）ｂとを多重化するデジタル放送多重化部および多重化されたデータをデジタルハイビジョン放送信号ｃとして配信する映像配信部を備える送信装置２１を備えている。放送局２０から配信されたデジタルハイビジョン放送信号ｃは、放送衛星３０で中継されて、利用者側のアンテナ４０で受信され、受信装置５０に入力される。受信装置５０は、ハイビジョン放送とデータ放送との分離処理、録画処理、再生処理が実行可能である。
【００１６】
実施の形態１．
この発明の実施の形態１を図２〜図４を用いて説明する。図２は、図１の映像データ処理システムの送信装置２１から配信されるデジタルハイビジョン放送信号ｃのデータフレームを概念的に示すものである。デジタルハイビジョン放送信号ｃは、ハイビジョン放送番組用の高画質映像データａとデータ放送用の低ビットレートの低画質映像データｂで構成され、これら各データが多重化されている。
【００１７】
ここで、この実施の形態１において、低画質映像データｂは、多重化されているハイビジョン放送番組と同一内容の映像を低ビットレートの低画質映像にして符号化処理等で圧縮したデータ放送用のデータであり、ハイビジョン放送番組の開始から終了までに複数回繰り返し配信される。データ放送用の低画質映像データｂのデータレートを２Ｍbpsと想定すると、ハイビジョン放送のための高画質映像データａの３０分の１程度の時間で同一番組の配信が可能となる。
【００１８】
つぎに、図３および図４を参照して放送局２０から配信されるデジタルハイビジョン放送信号ｃの受信側での処理について説明する。
【００１９】
ここでは、何らかの都合で番組の途中からハイビジョン放送の視聴を開始した場合について説明する。なお、この場合、受信装置５０は、多重化されたデジタルハイビジョン放送信号ｃ中の、ハイビジョン放送番組用の高画質映像データａのみを録画できる機能を有し、データ放送用の低画質映像データｂは、ファイル形式で、受信装置５０の内蔵メモリあるいは受信装置５０に着脱可能な携帯型メモリに保存できる機能を有するとする。
【００２０】
図３に示すように、ハイビジョン放送用の高画質映像データａと、データ放送用の高画質映像データｂが多重化されたハイビジョン放送が、或る時刻ｔ0から配信されているとする。利用者が、番組の途中ｔ1からハイビジョン放送の視聴を開始したとすると、視聴者は、まず、受信装置５０を操作して高画質映像データａをＤＶＤなどの適宜の記憶媒体に録画する（図４ステップＳ１００）。
【００２１】
つぎに、利用者は、視聴開始時刻ｔ1から番組終了時刻ｔ2の間に、繰り返しデータの形で配信されている低画質映像データｂを保存する（ステップＳ１１０）。この繰り返しデータの形で配信されている低画質映像データｂには、前述したように、当該ハイビジョン放送番組と同一内容であって低ビットレートかつ低画質のデータ放送用のデータが含まれており、この低画質映像データｂを保存することにより、ごく短時間で番組の開始から終了までの映像を取得することができる。
【００２２】
つぎに、保存した低画質映像データｂを再生することで、低画質映像データｂについて番組の最初から視聴を開始し、そのまま視聴を続けることで、ハイビジョン放送の録画開始時点ｔ1に対応する番組途中までの番組の視聴を行う（ステップＳ１２０）。録画開始時点ｔ1以降の番組は、録画されているので、この時点で映像をハイビジョン放送に切り替え、以降、追っかけ再生機能などを用いて、高画質映像データａによる番組視聴を行う。
【００２３】
このようにこの実施の形態１によれば、ハイビジョン放送番組と同一内容の低ビットレートのデータ放送用のデータが前記ハイビジョン放送番組用のデータ配信中に複数回繰り返し配信されるように、前記ハイビジョン放送番組のデータと前記データ放送用のデータとを多重化して配信するようにしているので、受信側で、何らかの理由でハイビジョン放送番組開始時刻に間に合わなかった場合でも、データ放送部分を視聴することで番組の開始から視聴を行うことが可能であり、また、ハイビジョン放送部分を録画するようにすれば、視聴開始時刻以降の映像についてはハイビジョン放送の高解像度映像を視聴することができる。また、何らかの理由で番組の途中で録画が終了してしまった場合でも、低画質映像でのデータを保存してあるので、録画終了時点からの番組終了までを低画質映像で視聴することができる。
【００２４】
なお、受信装置５０に、例えばＤＶＨＳ方式などのように、ハイビジョン放送とデータ放送を録画できる機能がある場合は、録画予約に失敗して、ハイビジョン番組の一部しか録画できなかったような場合でも、データ放送部分を利用することで、番組全体を視聴することができる。
【００２５】
実施の形態２．
つぎに、この発明の実施の形態２について説明する。上述した実施の形態１では、デジタルハイビジョン放送信号ｃのデータ放送部分にハイビジョン放送番組と同一内容の低画質画像データを繰り返し配信したが、実施の形態２では、繰り返し配信されるデータ放送部分に、当該ハイビジョン放送に関連するさまざまな過去の番組を配信する。配信される過去の番組として、例えば、前回までのドラマ映像や、当該ハイビジョン放送の主演俳優が出ていた過去のドラマ等を挙げることができる。
【００２６】
この実施の形態２では、ハイビジョン放送番組に関連する過去の番組を放送するための低ビットレートのデータ放送用のデータがハイビジョン放送番組用のデータ配信中に複数回繰り返し配信されるように、ハイビジョン放送番組のデータとデータ放送用のデータとを多重化して配信するようにしているので、例えば評判を聞いて連続ドラマを途中の回から見始めた場合でも、過去に遡ってドラマの初回から視聴することが可能となる。また、好みの俳優が主演していた過去のドラマを視聴することも可能となる。
【００２７】
さらに、これらハイビジョン放送番組に関連する過去の番組は、低画質映像でありデータ容量も少ないので、メモリーカード等の携帯性に優れたメディアに転送し、外出先で再生するような利用法も考えられ、利用者の利便性を向上させることができる。
【００２８】
実施の形態３．
つぎに、図５を用いてこの発明の実施の形態３について説明する。実施の形態３は、ハイビジョン放送のエリアで番組放送終了後などのハイビジョン放送配信中以外の放送空き時間に、過去の長時間番組などを放送するための低解像度映像データの送信を行い、長時間分の番組の再配信を行うものである。
【００２９】
図５は、実施の形態３の映像データ処理システムから配信されるデジタルハイビジョン放送信号のデータフレームを概念的に示すものである。図５のデータフレームによれば、放送終了時刻tｅまでの放送時間は、ハイビジョン放送のための高画質映像データ６を配信し、放送終了時刻tｅ以降は低画質映像データ７をハイビジョンデータ（高画質映像データ）６のデータレートで配信する。
【００３０】
高画質映像データ６のデータレートを２０ＭＢＰＳ程度と想定すると、２４時間分の低画質映像データ７が４分程度で配信可能となる。
【００３１】
このようにこの実施の形態３では、ハイビジョン放送の空き時間等に過去の長時間分の番組などを低ビットレート映像データとして再配信するようにしているので、視聴したかった放送番組を何らかの理由で視聴できなかったり、録画するのを忘れた場合でも、数日から数週間遡って、所望の番組の映像を得ることができる。また、短時間で過去の番組の低解像度映像を得ることができるため、録画し忘れた番組の取得、ホームサーバなどと連携した映像検索、映像ライブラリ作成などの作業を、専用の高性能の映像エンコードシステムを用いずに行うことができる。
【００３２】
さらに、この空き時間帯に再配布される番組は低画質映像であり、データ容量も少ないので、メモリーカード等の携帯性に優れたメディアに転送し、外出先で再生するような利用法も考えられ、利用者の利便性を向上させることができる。
【００３３】
【発明の効果】
以上説明したように、この発明によれば、ハイビジョン放送とデータ放送とを多重化して、ハイビジョン放送番組と同一内容であって低ビットレートの低画質のデータ放送用のデータが前記ハイビジョン放送番組用のデータ配信中に複数回繰り返し配信されるようにしているので、受信側で、何らかの理由でハイビジョン放送番組開始時刻に間に合わなかった場合には、データ放送部分を視聴することで番組の開始から視聴を行うことが可能となり、また録画予約に失敗して、ハイビジョン番組の一部しか録画できなかったような場合でも、データ放送部分を利用することで、番組全体を視聴することができるようになり、視聴者の利便性を向上させることが可能となる。
【００３４】
つぎの発明によれば、ハイビジョン放送とデータ放送とを多重化して、ハイビジョン放送番組に関連する過去の番組を放送するための低ビットレートのデータ放送用のデータが前記ハイビジョン放送番組用のデータ配信中に複数回繰り返し配信されるようにしているので、データ放送部分から過去の番組を取得することができ、これにより、評判を聞いてから連続ドラマなどの番組を視聴開始した場合でも、その初回からの映像を得ることができ、また関連した番組の映像なども入手することができ、視聴者の利便性を向上させることが可能となる。さらに、これらハイビジョン放送番組に関連する過去の番組は、低画質映像でありデータ容量も少ないので、メモリーカード等の携帯性に優れたメディアに転送し、外出先で再生するような利用法も考えられる。
【００３５】
つぎの発明によれば、ハイビジョン放送の空き時間等に過去の長時間分の番組などを低ビットレート映像データとして再配信するようにしているので、視聴したかった放送番組を何らかの理由で視聴できなかったり、録画するのを忘れた場合でも、数日から数週間遡って、所望の番組の映像を得ることができる。また、短時間で過去の番組の低解像度映像を得ることができるため、録画し忘れた番組の取得、ホームサーバなどと連携した映像検索、映像ライブラリ作成などの作業を、専用の高性能の映像エンコードシステムを用いずに行うことができる。さらに、この空き時間帯に再配布される番組は低画質映像であり、データ容量も少ないので、メモリーカード等の携帯性に優れたメディアに転送し、外出先で再生するような利用法も考えられ、利用者の利便性を向上させることができる。
【図面の簡単な説明】
【図１】  この発明を適用するデジタル放送配信システムの構成を示す図である。
【図２】  実施の形態１のデジタル放送配信システムから配信されるデジタルハイビジョン放送信号のデータフォーマットを示す概念図である。
【図３】  実施の形態１のデジタル放送配信システムから配信されるデジタルハイビジョン放送信号の受信時の動作を説明するための図である。
【図４】  実施の形態１のデジタル放送配信システムから配信されるデジタルハイビジョン放送信号の受信時の動作を説明するためのフローチャートである。
【図５】  実施の形態１のデジタル放送配信システムから配信されるデジタルハイビジョン放送信号のデータフォーマットを示す概念図である。
【符号の説明】
６  高画質映像データ、７  低画質映像データ、１０  デジタル放送配信システム、２０  放送局、２１  送信装置、３０  放送衛星、４０  アンテナ、５０受信装置、ａ  高画質映像データ、ｂ  低画質映像データ、ｃ  デジタルハイビジョン放送信号。
【図１】
0004818550.tif 000002
【図２】
0004818550.tif 000003
【図３】
0004818550.tif 000004
【図４】
0004818550.tif 000005
【図５】
0004818550.tif 000006